(57)【特許請求の範囲】
【請求項１】
板材が所定間隔ごとに立設されたスラット定盤の前記板材の間の溝部に堆積するスラグを除去するための手動はつり機であって、
先端に前記スラット定盤の前記板材間の溝部に進入可能な複数種の破砕ツールを選択的に取り付けることができる破砕ツール取付部を備えた操作アームを有し、該操作アームの長手方向の途中には、両側に突出し隣接する前記板材の上端間に跨がって転動可能な車輪を備え、該車輪が支点となってはつりできることを特徴とする手動はつり機。
【請求項２】
前記操作アームは、長手方向の途中から上向きに曲がっており、この上向きの辺部の末端側に第１のハンドルが設けられており、前記破砕ツールの刃先が作用点、前記車輪が支点、前記第１のハンドルが力点となり、てこの原理を利用してはつりできることを特徴とする請求項１記載の手動はつり機。
【請求項３】
前記操作アームの上向きの辺部の屈曲点寄りの位置に第２のハンドルが設けられていることを特徴とする請求項２記載の手動はつり機。
【請求項４】
前記操作アームの屈曲点の内角部に、該操作アームを挟むように一対の補強板が設けられており、前記車輪は前記補強板に設けた軸に取り付けられていることを特徴とする請求項２または請求項３記載の手動はつり機。
【発明の詳細な説明】
【技術分野】
【０００１】
本発明は、造船、鉄鋼、橋梁などで使用される切断装置の定盤、つまり板材が所定間隔毎に立設されたスラット定盤の板材の間の溝部に堆積するスラグを除去するための手動はつり機に関する。
【背景技術】
【０００２】
従来より、板材が所定間隔毎に立設されたスラット定盤の板材の間の溝部に堆積するスラグを除去する各種の破砕ツールが知られている。例えば、油圧方式の破砕ツールやエアー方式の破砕ツールがある。そのうち、油圧方式の破砕ツールは、破砕力が大きいが、人手での操作が困難で、スラット（板材）を直に打撃するとスラット（板材）が変形することや、反力や自重を支えるのに重筋作業となる。
【０００３】
エアー方式の破砕ツールとしては、例えばジェットタガネ（空気式高速多針タガネ）、スーパーケレン（高速空気タガネ）、ライトピックハンマー等、各種のものが市販されている。このようなエアー方式の破砕ツールは、油圧方式の破砕ツールと比べ破砕力は劣るが、人手で操作可能であり、油圧方式と比べて使い勝手が良い（例えば、特許文献１参照）。
【０００４】
また、ハンドルを有するストレートアームの先端に、各種のエアー方式の破砕ツールを選択的に取付可能なクランプと、その後方に床面走行用の車輪を設けた立ち作業用のスタンドが市販されている。
【０００５】
また、先端に床材を剥離するための刃物を有するとともに後方下部に移動用の車輪を設けた剥離機本体の中央部に、着脱式ハンドルを設け、床材剥離作業を立ち姿勢で行えるようにしたものが提案されている（例えば、特許文献２参照）。
【先行技術文献】
【特許文献】
【０００６】
【特許文献１】特開２００４−１７４６１０号公報（図３）
【特許文献２】特開２０１０−２７０４７６号公報（図１）
【発明の概要】
【発明が解決しようとする課題】
【０００７】
しかしながら、人手で操作可能で、油圧方式に比べ使い勝手が良いエアー方式の破砕ツールにあっては、スラット（板材）が所定間隔毎に立設されたスラット定盤の板材の間の溝部に堆積するスラグを除去する場合、スラット定盤の板材の間の狭隘な溝部内でかがみ込んだ無理な姿勢でのはつり作業となり、作業者に負担がかかる。
【０００８】
また、ハンドルを有するストレートアームの先端に破砕ツールを取り付けるとともに床面走行用の車輪を設けた立ち作業用のスタンドや、本体の先端に床材を剥離するための刃物を有するとともに後方下部に移動用の車輪を設けた剥離機本体の中央部に、着脱式ハンドルを設け、床材剥離作業を立ち姿勢で行えるようにしたものにあっては、いずれも支点が存在しないので、てこの原理を利用したはつりができず、大きい力ではつり作業を行わなくてはならなかった。
【０００９】
本発明は、前記のような課題を解決するためになされたもので、スラット定盤の板材の間の溝部に堆積するスラグを、てこの原理を利用して小さい力で除去できるようにすることを目的としている。
【課題を解決するための手段】
【００１０】
本発明に係る手動はつり機は、板材が所定間隔ごとに立設されたスラット定盤の板材の間の溝部に堆積するスラグを除去するための手動はつり機であって、先端にスラット定盤の板材の間の溝部に進入可能な複数種の破砕ツールを選択的に取り付けることができる破砕ツール取付部を備えた操作アームを有し、この操作アームの長手方向の途中には、両側に突出して隣接する前記板材の上端間に跨がって転動可能な車輪を備え、この車輪が支点となってはつりできるものである。
【００１１】
また、操作アームは、長手方向の途中から上向きに曲がっており、この上向きの辺部の末端側に第１のハンドルが設けられており、破砕ツールの刃先が作用点、車輪が支点、第１のハンドルが力点となり、てこの原理を利用してはつりできるものである。
【００１２】
また、操作アームの上向きの辺部の屈曲点寄りの位置に第２のハンドルが設けられているものである。
【００１３】
また、操作アームの屈曲点の内角部に、この操作アームを挟むように一対の補強板が設けられており、車輪はこの補強板に設けた軸に取り付けられているものである。
【発明の効果】
【００１４】
本発明に係る手動はつり機においては、両側に突出してスラット定盤の隣接する板材の上端間に跨がって転動可能な車輪が支点となってはつりできるので、スラット定盤の板材の間の溝部に堆積するスラグを、てこの原理を利用して小さい力で除去することができる。
【００１５】
また、操作アームが、長手方向の途中から上向きに曲がっているので、上向きの辺部の長さを必要以上に長くせずとも、操作アームの末端の高さを作業者の立ち姿勢に合わせることができる。また、操作アームの上向きの辺部の末端側に第１のハンドルを設け、破砕ツールの刃先が作用点、車輪が支点、第１のハンドルが力点となり、てこの原理を利用した小さい力でスラット定盤の板材の間の溝部に堆積するスラグを除去することができる。
【００１６】
また、操作アームの上向きの辺部の屈曲点寄りの位置に第２のハンドルを設けているので、この第２のハンドルを使用することで、スラット定盤の板材の間の溝部に堆積するスラグの破砕作業を容易に行うことができる。
【００１７】
また、操作アームの屈曲点の内角部に、この操作アームを挟むように一対の補強板を設け、車輪を補強板に設けた軸に取り付けることで、操作アームの屈曲点部分及び支点部分を堅牢な構造体の一部として構成することができる。このため、力点となる第１のハンドルにより大きな力をかけることができ、スラグを効率的に除去することができる。
【図面の簡単な説明】
【００１８】
【図１】本発明の実施形態に係る手動はつり機の使用状態を示す側面図である。
【図２】本発明の実施形態に係る手動はつり機の破砕ツール取付前の状態を示す側面図である。
【図３】本発明の実施形態に係る手動はつり機の破砕ツール取付前の状態を示す正面図である。
【図４】本発明の実施形態に係る手動はつり磯の破砕ツール装着状態を示す平面図である。
【図５】本発明の実施形態に係る手動はつり機の破砕ツール取付部と車輪部と第２のハンドル部を拡大して示す平面図である。
【図６】本発明の実施形態に係る手動はつり機に取り付けられる破砕ツールである機械式はつり機を示す平面図である。
【図７】本発明の実施形態に係る手動はつり機に取り付けられる破砕ツールである機械式はつり機の緩衝用ゴムシート部材を示す正面図である。
【図８】本発明の実施形態に係る手動はつり機の圧縮空気供給経路の途中に設けたホース継手部とバルブ操作部を示す平面図である。
【図９】本発明の実施形態に係る手動はつり機の圧縮空気供給経路の途中に設けたホース継手部を示す正面図である。
【図１０】本発明の実施形態に係る手動はつり機の操作アームへの延長ホース固定部を示す正面図である。
【発明を実施するための形態】
【００１９】
図１は本発明の実施形態に係る手動はつり機の使用状態、つまりスラット定盤の板材の間の溝部に堆積するスラグの除去作業を示す側面図、図２はその破砕ツール取付前の状態を示す側面図、図３はその破砕ツール取付前の状態を示す正面図、図４はその破砕ツール装着状態を示す平面図、図５はその破砕ツール取付部と車輪部と第２のハンドル部を拡大して示す平面図である。
本発明の実施形態に係る手動はつり機１は、図１のように高さが例えば２５０ｍｍの縦向きの板材２ａが所定間隔（例えば１１９ｍｍ）毎に立設されたスラット定盤２の板材２ａ間の溝部２ｂに進入して堆積するスラグ（図示せず）を除去できる機能を持っている。
【００２０】
すなわち、手動はつり機１は、先端にスラット定盤２の板材２ａ間の溝部２ｂに進入可能な複数種の破砕ツールを選択的に取り付けることができる破砕ツール取付部３を備えた操作アーム４を有している。ここでは、破砕ツール５として機械式はつり機を取り付けた例を示している。機械式はつり機は取付後、基本的に刃先以外の部分がカバー１０にて覆われるようになっている。操作アーム４の長手方向の途中には、両側に突出し隣接する板材２ａの上端間に跨がって転動可能な車輪６が設けられており、この車輪６が支点となってはつりできるようになっている。このため、スラット定盤２の板材２ａ間の溝部２ｂに堆積するスラグ（図示せず）を、てこの原理を利用して小さい力で除去することができる。
【００２１】
これを更に詳述する。操作アーム４は、図１及び図２のように長手方向の途中（屈曲点Ａ）から上向きに曲がっており、この上向きの辺部４ａの末端側の位置に第１のハンドル（以下、「末端側のハンドル」という）７が設けられているとともに、それよりも屈曲点Ａ寄りの位置に第２のハンドル（以下、「屈曲点Ａ寄りのハンドル」という）８が設けられている。操作アーム４の先端側の辺部４ｂの軸線と上向き側の辺部４ａの軸線が成す角度θ１が４５°に設定されている。また、車輪６が支点となってはつりする際の、先端側の辺部４ｂの軸線（はつり工具の軸線と一致している）とスラット定盤２の溝部２ｂの底面との成す角度θ２が約２０°となるように設定されている。
【００２２】
これにより、操作アーム４の上向きの辺部４ａの末端側のハンドル７を使用することで、支点（車輪６）から力点（ハンドル７）までの距離を、支点（車輪６）から作用点（はつり工具の先端）までの距離に比べて大きくでき、より小さい力で車輪６を支点としたはつりを行うことができる。また、操作アーム４を上向きに屈曲させているので、上向きの辺部４ａの長さを必要以上に長くせずとも、図１のように上向きの辺部４ａの末端側のハンドル７の高さ位置を、はつり作業時に作業者の腰の高さの位置にもってくることができる。このため、上向きの辺部４ａの末端側のハンドル７を使用することで、はつり作業を容易に行うことができる。さらに、破砕作業を行うためにはつり工具の刃先をスラット定盤２の溝部２ｂの底面に対して垂直に立てた際、屈曲点Ａ寄りのハンドル８が腰の高さ位置にくるので、屈曲点Ａ寄りのハンドル８を使用することで、腰をかがめることなく、破砕作業を容易に行うことができる。
【００２３】
また、操作アーム４の屈曲点Ａの内角部に、この操作アーム４を両側より挟むように一対の補強板９ａ，９ｂが溶接により固定されており、車輪６は補強板９ａ，９ｂを貫通する軸１１に取り付けられている。このため、操作アーム４の屈曲点Ａ部分及び支点（車輪６）部分を堅牢な構造体の一部として構成することができる。このため、力点となるハンドル７に、より大きな力をかけることができ、スラグを効率的に除去することができる。なお、車輪６を取り付ける軸１１は、補強板９ａ，９ｂの外側にそれぞれ強固に固定したものを用いてもよく、その場合の固定手法としては、溶接あるいは補強板９ａ，９ｂの内側からのボルトによる止着等、種々採用可能である。
【００２４】
更に、破砕ツール取付部３を含む操作アーム４の先端側の辺部４ｂは、それらより高位置に配置された車輪６により吊下支持されることとなり、先端側の辺部４ｂの軸線（はつり工具の軸線と一致している）とスラット定盤２の溝部２ｂの底面との成す角度θ２を小さく抑えながら、支点（車輪６）から作用点（はつり工具の先端）までの距離を短くすることができる。このため、相対的に支点（車輪６）から力点（ハンドル７）までの距離が長くなり、てこの効果を増大させることができ、より小さい力でスラグを除去することができる。
【００２５】
一方の補強板９ａには、図２及び図３のように手動はつり機１を持ち運ぶ際の取っ手２０が溶接により取り付けられている。１３は破砕ツール５の刃先であるアスファルトカッター、２３はコンプレッサーからの圧縮空気供給用のホース、１７は圧縮空気供給用のホース２３が接続されるベンドであり、後述するバルブと一体化されているものである。２３ａはベンド１７と破砕ツール５とを接続する延長ホースである。
【００２６】
図６は本発明の実施形態に係る手動はつり機に取り付けられる破砕ツール５である機械式はつり機を示す平面図、図７はその緩衝用ゴムシート部材を示す正面図である。機械式はつり機は、先端に圧縮スプリング１２を介してアスファルトカッター１３が取り付けられているとともに、後端に圧縮空気の入力ポート１４が設けられている。また中間部には、手元への振動を減衰するための半割形成された緩衝用ゴムシート１５ａ，１５ｂが上下より機械式はつり機を挟み込むように介装され、ねじ１６によりこれら緩衝用ゴムシート１５ａ，１５ｂが一体化されるようになっている。
【００２７】
図８は本発明の実施形態に係る手動はつり機の圧縮空気供給経路の途中に設けたホース継手部とバルブ操作部を示す平面図、図９はそのホース継手部の正面図である。エアー方式の破砕ツールは、図示しないコンプレッサーと接続されて使用される。そのため、操作アーム４には、図８及び図９のようにハンドル７近傍にベンド１７と一体化されたボールバルブ１８が取り付けられ、操作レバー１９によって圧縮空気の供給量を調整できるようになっている。ベンド１７の一方の端には、スイベルジョイント２１を介してカプラー２２が取り付けられ、コンプレッサーからの圧縮空気供給用のホース２３が接続されるようになっている。また、ベンド１７の他方の端には、そこから破砕ツール５までの間を接続する延長ホース２３ａの一端が接続される雄ねじニップル２４が取り付けられている。そして、操作アーム４に固定されたブラケット２５に、ベンド１７をＵボルト２６及びナット２７により固定することで、これらが操作アーム４に取り付けられるようになっている。
【００２８】
図１０は本発明の実施形態に係る手動はつり機の操作アームへの延長ホース固定部を示す正面図である。延長ホース２３ａは、図１０のように操作アーム４にバンド２８とねじ２９により固定されるようになっている。
【００２９】
以上のように構成された本発明の実施形態に係る手動はつり機は、図１のようにスラット定盤２の隣接する板材２ａの上端間に跨がる車輪６を利用してスラット定盤２上を移動することができる。また、車輪６を支点とするてこの原理を利用して小さい力でスラグのはつり作業を行うことができる。このため、スラット定盤２の板材２ａ間の溝部２ｂのはつり作業時の作業者にかかる負担を従来に比べて大幅に軽減させることができる。
【符号の説明】
【００３０】
１  手動はつり機
２  スラット定盤
２ａ  板材
２ｂ  溝部
３  破砕ツール取付部
４  操作アーム
４ａ  上向きの辺部
４ｂ  先端側の辺部
５  破砕ツール
６  車輪
Ａ  屈曲点
７  末端側のハンドル（第１のハンドル）
８  屈曲点Ａ寄りのハンドル（第２のハンドル）
９ａ，９ｂ  補強板
１０  カバー  
１１  補強板を貫通する軸
１２  圧縮スプリング
１３  アスファルトカッター
１４  圧縮空気の入力ポート
１５ａ，１５ｂ  緩衝用ゴムシート
１６  ねじ
１７  ベンド
１８  ボールバルブ
１９  操作レバー
２０  取っ手
２１  スイベルジョイント
２２  カプラー
２３  圧縮空気供給用のホース
２３ａ  延長ホース
２４  雄ねじニップル
２５  ブラケット
２６  Ｕボルト
２７  ナット
２８  バンド
２９  ねじ
【図１】
0005901396.tif 000002
【図２】
0005901396.tif 000003
【図３】
0005901396.tif 000004
【図４】
0005901396.tif 000005
【図５】
0005901396.tif 000006
【図６】
0005901396.tif 000007
【図７】
0005901396.tif 000008
【図８】
0005901396.tif 000009
【図９】
0005901396.tif 000010
【図１０】
0005901396.tif 000011